(57)【要約】      （修正有）【課題】管を介して帯電微粒子水を放出するにあたって、当該放出を効率良く行う。【解決手段】静電霧化装置１１は、前記帯電微粒子水を外部に放出するための放出口と、該放出口に一端が接続され他端が開口する管２１とを備え、該管２１は、緩やかな曲率又は小さな曲率の屈曲部を有するとともに、導電性の少なく且つ帯電しにくい材質で形成されている。【選択図】図１
2011191052.tif 000002
【特許請求の範囲】
【請求項１】
放電電極上に供給された水を放電によって帯電微粒子水とする静電霧化装置であって、前記帯電微粒子水を外部に放出するための放出口と、該放出口に一端が接続され他端が開口する管とを備え、該管は、緩やかな曲率又は小さな曲率の屈曲部を有するとともに、導電性の少なく且つ帯電しにくい材質で形成されていることを特徴とする静電霧化装置。
【請求項２】
前記管は前記屈曲部の曲率を規定することができる剛性を有する材質で形成されていることを特徴とする請求項１記載の静電霧化装置。
【請求項３】
空気吸い込み口から吸い込んだ空気をハウジング内の送風経路を経て空気吹き出し口から吐出する空気調和機に配設され、前記管の前記他端が前記送風経路内部に開口していることを特徴とする請求項１または２に記載の静電霧化装置。
【発明の詳細な説明】
【技術分野】
【０００１】
本発明は、静電霧化装置に関するものである。
【背景技術】
【０００２】
脱臭を行うことができる空気清浄機能を有するものとして、特許文献１に示された静電霧化装置がある。これはナノメータサイズの帯電微粒子水（ミスト）を発生させるものであり、ここで得られたミストは脱臭や防黴性を有することが知られている。このナノメータサイズの帯電微粒子水を発生させる静電霧化装置を空気調和機に組み込んだものが特許文献２に示されている。これは、空気調和機から吹き出す風とともに上記帯電微粒子水を室内に供給するものであり、カーテンや壁などに付着した臭気成分を取り除くことができる上に空気調和機の送風経路内に発生した黴による臭気も取り除くことができる。
【０００３】
しかし、上記静電霧化装置は送風経路中に配置されていることから、ナノメータサイズの帯電微粒子水を送風に乗せて室内に送り出すことができるようにした場合、静電霧化装置が送風経路内において送風抵抗となって空気調和機本来の性能の妨げになってしまう。
【先行技術文献】
【特許文献】
【０００４】
【特許文献１】特許第３２６０１５０号公報
【特許文献２】特開２００６−２３４２４５号公報
【発明の概要】
【発明が解決しようとする課題】
【０００５】
そこで、本願発明者は管を介して帯電微粒子を放出させることで、静電霧化装置を送風経路外に配設することを考えたが、帯電微粒子水の管内壁への付着等によって放出される帯電微粒子水の量が少なくなる恐れがある。
【０００６】
本発明は上記問題点に鑑みて発明したものであって、管を介して帯電微粒子水（ミスト）を放出するにあたって、当該放出を効率良く行うことができる静電霧化装置を提供することを課題とするものである。
【課題を解決するための手段】
【０００７】
上記課題を解決するために本発明に係る静電霧化装置は、放電電極上に供給された水を放電によって帯電微粒子水とする静電霧化装置であって、前記帯電微粒子水を外部に放出するための放出口と、該放出口に一端が接続され他端が開口する管とを備え、該管は、緩やかな曲率又は小さな曲率の屈曲部を有するとともに、導電性の少なく且つ帯電しにくい材質で形成されていることに特徴を有している。
【０００８】
前記管は前記屈曲部の曲率を規定することができる剛性を有する材質で形成されていることが好ましい。
【０００９】
空気吸い込み口から吸い込んだ空気をハウジング内の送風経路を経て空気吹き出し口から吐出する空気調和機に配設され、前記管の前記他端が前記送風経路内部に開口していることが好ましい。
【発明の効果】
【００１０】
本発明は、帯電微粒子水（ミスト）の管を介した放出を効率良く行いやすくすることができる。
【図面の簡単な説明】
【００１１】
【図１】本発明の実施形態の一例の概略断面図である。
【図２】同上の静電霧化装置の一例の斜視図である。
【図３】同上の静電霧化装置の断面図である。
【図４】（ａ）（ｂ）は共に他例の斜視図である。
【発明を実施するための形態】
【００１２】
以下、本発明を添付図面に示す実施形態に基いて説明すると、図１において、外殻を構成するハウジング２の前面上部に空気吸い込み口６が設けられるとともに前面下部にルーバ８を備えた空気吹き出し口７が設けられている空気調和機（の室内機）０は、その内部に熱交換器１と横流ファンで形成されたファン３とが配設されている。また上記ハウジング２内には、空気吸い込み口６からファン３を経て空気吹き出し口７に至る送風経路５を形成するための隔壁４が配設されている。
【００１３】
そして上記ハウジング２内の下部後方部分は、上記隔壁４によって送風経路５から区画されている部分であるとともに、排水用のドレインパイプがハウジング２の右端乃至左端から外部に引き出される際に使用されるだけでのデッドスペースであり、ドレインパイプを通す場合においてもその全域が使用されるわけではない部分であるが、ナノメータサイズの帯電微粒子水を発生させる静電霧化装置１１は、上記デッドスペースに設置してある。
【００１４】
図２及び図３にここで用いている静電霧化装置１１を示す。曲線を描いている上記隔壁４に合わせて一面が傾斜曲面となっている静電霧化装置１１は、その下端部に静電霧化ユニットを、上部に高圧トランスや制御回路といった回路ブロック１８を、中段に冷却用のファン１７を納めたもので、静電霧化ユニットは放電電極１２、放電電極１２に対向する対向電極１３、上記放電電極１２を冷却して空気中の水分を放電電極１２上に結露させる熱電素子（ペルチェ素子）１４、そして熱電素子１４の放熱側に連結された放熱フィン１５とからなるもので、放電電極１２上に結露で生じた水を放電電極１２と対向電極１３との間の放電によってナノメータサイズの帯電微粒子水（ミスト）とする。上記ファン１７は放熱フィン１４に風を当てて冷却するためのものである。
【００１５】
そして上記静電霧化装置１１で発生させたミストは、その側面に位置する放出口１６から外部に放出するのであるが、ここでは放出口１６に一端を接続した管２１を設けるとともに、この管２１の他端を隔壁４に位置させて上記送風経路５内において開口させているとともに、この位置における送風方向と上記開口方向とをほぼ一致させている。
【００１６】
このために静電霧化装置１１からのミストは送風経路５内を流れる風に乗って空気吹き出し口７から外部に放出されるものである。また、静電霧化装置１１そのものは送風経路５中になく、ハウジング２内のデッドスペースに配置されているために、送風抵抗となることがないのはもちろん、その設置のためのスペースをハウジング２内に新たに確保する必要もない。
【００１７】
ここで、上記放出口１６は側方に開口し、管２１の他端は前方に向けて開口することから、管２１として屈曲部分を備えたものを用いなくてはならないが、この屈曲部分の曲率半径がきわめて小さいと、ミストが管２１の内壁に付着して外部へと流れ出るミストの量が少なくなる。また、柔らかい材質のもので管２１を形成して屈曲部を設けた場合、時として屈曲部において管２１が扁平な状態になって管路が急激に狭くなり、流路抵抗を著しく増加させてミストの吐出の妨げとなってしまうことがある。
【００１８】
このために、緩やかな曲率の屈曲部しか必要でない場合はともかく、屈曲部の曲率が小さくなる場合においては、管２１としては曲率を規定することができる剛性を有する材質、更に好ましくは導電性の少なく且つ帯電しにくい材質、たとえばＡＢＳ，ＰＳ、ＰＰ、ＰＡなどのプラスチック材料で形成しておくことが、ミストの管を介した放出を効率良く行うことができ好ましい。
【００１９】
上記管２１の他端はルーバ８に添わせて、ルーバ８近傍で開口させてもよい。風を送ろうとしている方向にミストも放出することから、ミストを室内に容易に行き渡らせることができる。
【００２０】
上記ルーバ８部分で管２１の他端を開口させるにあたっては、図４に示すように、一端がルーバ８の先端縁で開口するとともに他端がルーバ８の回動用の軸８０と同軸で形成されたコネクタ８２となっている管路をルーバ８に一体に形成し、管２１の他端を上記コネクタ８２に軸８０の軸回りに回動自在に連結してもよい。この場合、ルーバを回動させることが管に影響を与えることがなく、ルーバ８の角度を変更しても、管２１における屈曲部の曲率が変化することがないために、ルーバ８の角度に拘わらず、安定したミスト放出を行うことができる。
【００２１】
上記実施例では、静電霧化装置１１を隔壁４の後方とハウジング２内面との間のデッドスペースに配置したが、空気調和機０内の側端部等にも送風経路５外となるとともにデッドスペースとなっている部分が少なからず存在することから、このようなデッドスペースを利用して静電霧化装置１１を配置してもよいのはもちろんである。
【符号の説明】
【００２２】
２  ハウジング
５  送風経路
６  空気吸い込み口
７  空気吹き出し口
１１  静電霧化装置
１２  放電電極
１６  放出口
２１  管
【図１】
2011191052.tif 000003
【図２】
2011191052.tif 000004
【図３】
2011191052.tif 000005
【図４】
2011191052.tif 000006